(57)【特許請求の範囲】
【請求項１】
室内に設置されたベルトコンベヤにより固形廃棄物を連続して搬送するとともに種類別に分別された当該固形廃棄物を収容する収容場所を備えた廃棄物分別装置において、前記ベルトコンベヤの搬送面の両側に沿って隣接配置されるとともに当該搬送面側の側面に所定間隔を置いて開口する複数の吸気口が形成された断面矩形状の一対の吸気ダクトと、前記吸気ダクトの搬送面側の下端部に設けられるとともに前記ベルトコンベヤとの間の隙間を塞ぐように取り付けられた帯状のカバー体と、前記吸気ダクトに接続するとともに前記吸気口から前記吸気ダクトを通して前記搬送面の上方の空気を吸引する吸気手段と、前記搬送ベルトの上方に空気を流通させる給気手段とを備えている廃棄物分別装置。
【請求項２】
前記吸気口は、全面にメッシュ状の金網体が設けられている請求項１に記載の廃棄物分別装置。
【請求項３】
前記吸気手段は、前記吸気ダクトに所定間隔を置いて接続されるとともに空気の流通を開閉する開閉弁を有する複数の接続管を備えている請求項１又は２に記載の廃棄物分別装置。
【請求項４】
前記吸気口を開閉する蓋体が設けられている請求項１から３のいずれかに記載の廃棄物分別装置。
【請求項５】
請求項１から４のいずれかに記載の廃棄物分別装置を備えた廃棄物選別処理システム。
【発明の詳細な説明】
【技術分野】
【０００１】
本発明は、多様な固形物が混在する廃棄物を手選別により分別する廃棄物分別装置に関する。
【背景技術】
【０００２】
建築構造物の解体現場や建設現場では、家屋やビル等を一挙に解体すると、可燃物と不燃物が混在する混合廃棄物が多量に発生する。混合廃棄物には、コンクリート塊、残土、廃木材、紙くず、廃プラスチック、廃ボード、金属くず、陶器くず等が含まれており、多種類の材質のものが様々な大きさ及び形状で混在している。
【０００３】
混合廃棄物をそのままの状態で最終処分することは処分コストがかかることから、材質や大きさ等に応じて選別して再利用することが行われている。例えば、特許文献１では、建設廃棄物を通過廃棄物及び残留廃棄物に粗選別処理する粗選別機構、残留廃棄物をベルトコンベヤで搬送しながら人手によりプラスチックや金属片を分別する分別機構、通過廃棄物を含水率１７％以下となるまで乾燥させる乾燥機構、乾燥廃棄物から金属片等を回収する磁力選別機、乾燥廃棄物を比重差により重量物（小石、砂等）及び軽量物に選別する比重選別機構、比重選別機構からの排気を処理する集塵機及びサイクロン、軽量物を通過軽量物（残土等）及び残留軽量物（木片、紙片等）に細選別処理する細選別機構を備えた廃棄物選別処理システムが記載されている。
【０００４】
廃棄物の人手による分別機構では、分別過程で塵や埃が舞い上がるため、作業者が舞い上がった塵や埃を吸い込んで健康被害を受けるおそれがあり、分別機構における作業環境を悪化させないための対策が必要となる。こうした作業環境への対策としては、例えば、特許文献２では、資源ゴミを手選別するため移動又は搬送する搬送装置に沿って透明なフード板を設けてフード板の所定位置に作業用手袋を備え、作業者に資源ゴミの臭い等の影響が及ばないようにした点が記載されている。また、特許文献３では、廃棄物を建屋内に持込んで処理するようにした廃棄物処理場において、建屋の一側部に排気ファンや集じん機を備えた複数の排気フードを配置するとともに、他側部には複数の送気ファンを設けた点が記載されている。また、特許文献４では、換気用の送風口を搬送コンベアの直上方の天井に下向きに設けるとともに、その排気口を床から１．５ｍ以下の高さ位置で、搬送コンベアの両側の作業者の後方の壁に設け、搬送コンベア上から舞い上がるダストを送風口からの下向きの気流に乗せ、この下向きの気流に乗せたダストを作業者の顔よりも低い位置で各排気口に向けて排出することにより、各作業者がダストを吸い込むことなく、良い環境で選別作業をできるようにした点が記載されている。
【先行技術文献】
【特許文献】
【０００５】
【特許文献１】特開２００６−３１５０００号公報
【特許文献２】実開平７−３７３８２号公報
【特許文献３】特開平１１−３７５２４号公報
【特許文献４】特開２００３−１２６７８８号公報
【発明の概要】
【発明が解決しようとする課題】
【０００６】
上述したように、人手による固形廃棄物の分別作業では人体に悪影響を与える劣悪な環境下で作業を行うため、特許文献２から４に示すような対策を講じる必要がある。しかしながら、特許文献２に示すように、透明なフード板を設けた場合でも分別作業時に舞い上がる塵や埃が室内に拡散するため、作業者に塵や埃の影響を与えないようにすることは困難である。また、特許文献３及び４では、排気ファンや送気ファンを設けて舞い上がる塵や埃を気流に乗せて排出することで分別作業を行う室内の環境を改善するようにしているが、固形廃棄物から塵や埃がいったん舞い上がってしまうと、排出されるまでの間に作業者が吸い込むおそれがあり、作業者への健康被害を十分防止することはできない。
【０００７】
そこで、本発明は、分別作業時に固形廃棄物から生じる塵や埃を舞い上がらないように排出することができる廃棄物分別装置を提供することを目的とするものである。
【課題を解決するための手段】
【０００８】
本発明に係る廃棄物分別装置は、室内に設置されたベルトコンベヤにより固形廃棄物を連続して搬送するとともに種類別に分別された当該固形廃棄物を収容する収容場所を備えた廃棄物分別装置において、前記ベルトコンベヤの搬送面の両側に沿って隣接配置されるとともに当該搬送面側の側面に所定間隔を置いて開口する複数の吸気口が形成された断面矩形状の一対の吸気ダクトと、前記吸気ダクトの搬送面側の下端部に設けられるとともに前記ベルトコンベヤとの間の隙間を塞ぐように取り付けられた帯状のカバー体と、前記吸気ダクトに接続するとともに前記吸気口から前記吸気ダクトを通して前記搬送面の上方の空気を吸引する吸気手段と、前記搬送ベルトの上方に空気を流通させる給気手段とを備えている。さらに、前記吸気口は、全面にメッシュ状の金網体が設けられている。さらに、前記吸気手段は、前記吸気ダクトに所定間隔を置いて接続されるとともに空気の流通を開閉する開閉弁を有する複数の接続管を備えている。さらに、前記吸気口を開閉する蓋体が設けられている。
【発明の効果】
【０００９】
本発明は、上記の構成を備えることで、分別作業時に固形廃棄物から生じる塵や埃を舞い上がらないように排出することができる。
【図面の簡単な説明】
【００１０】
【図１】本発明に係る実施形態を備えた廃棄物選別処理システム全体の概略構成図である。
【図２】建屋の２階部分に設置されたベルトコンベヤを含む分別作業部分に関する側面図である。
【図３】建屋の２階部分に設置されたベルトコンベヤを含む分別作業部分に関する上面図である。
【図４】図３のＡ−Ａ断面図である。
【図５】図２のＢ−Ｂ断面図である。
【図６】図２のＣ−Ｃ断面図である。
【図７】吸気口に蓋体を設けた場合の外観斜視図である。
【図８】建屋内で分別作業を行う場合に関する説明図である。
【発明を実施するための形態】
【００１１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明に係る実施形態を備えた廃棄物選別処理システム全体の概略構成図である。図１に示す廃棄物選別処理システムでは、まず、持ち込まれた廃棄物Ｗが搬送コンベヤ１により搬送されて粗選別機構２に投入される。粗選別機構２では、投入された廃棄物Ｗが所定の大きさの篩目により通過廃棄物Ｗ１及びＷ２が落下して粗選別処理され残留廃棄物Ｗ３が次の廃棄物分別機構３に移送される。
【００１３】
廃棄物分別機構３は、２階建ての建屋３０の２階部分にベルトコンベヤ３１が設置されており、残留廃棄物Ｗ３はベルトコンベヤ３１に移送されて建屋３０内を搬送される。ベルトコンベヤ３１の両側には複数の作業者Ｍが配置されており、搬送される残留廃棄物Ｗ３に対して作業者Ｍがペットボトル、空き缶、プラスチック片、金属片といったものを選別する。建屋３０の１階部分はベルトコンベヤ３１の搬送方向に沿って複数の仕切り壁により区切られており、区切られた区画毎に選別された廃棄物の収容場所３２となっている。そして、２階部分には選別された廃棄物を投入する複数のシュートがベルトコンベヤ３１の両側に設けられており、各シュートは床を貫通して１階部分の収容場所と連通している。作業者は、収容場所に対応する廃棄物を選別してシュートに投入することで、分別作業が行われるようになっている。
【００１４】
分別処理された後の残留廃棄物Ｗ４が次の磁力選別処理のベルトコンベヤ４に移送される。ベルトコンベヤ４の搬送路の上方には磁力選別機５が設置されており、搬送される残留廃棄物Ｗ４から金属片等を磁力により吸着して回収する。磁力選別処理された後の残留廃棄物Ｗ５は次の風力選別機構６に移送される。風力選別機構６では、投入される残留廃棄物Ｗ５を落下させながら、上下に配置された２つのノズルから空気を吹き出して送風し、重量物である不燃物及び軽量物である可燃物に選別する。２つのノズルの吹き出し角度を調整することで、不燃物及び可燃物の選別を効率よく行うことができる。
【００１５】
図２は、建屋３０の２階部分に設置されたベルトコンベヤ３１を含む分別作業部分に関する側面図であり、図３はその上面図である。また、図４は、図３のＡ−Ａ断面図であり、図５及び図６は、それぞれ図２のＢ−Ｂ断面図及びＣ−Ｃ断面図である。ベルトコンベヤ３１の搬送面３１ａの両側には、断面矩形状の一対の吸気ダクト３３が隣接配置されている。吸気ダクト３３には、搬送面３１ａ側の側面に、後述する吸気口４０が所定間隔を置いて複数開口しており、搬送面３１ａとは反対側の側面に所定間隔を置いて接続管３４が接続されて吸気ダクト３３と連通している。吸気口４０は矩形状に開口しており、全面にメッシュ状の金網体が取り付けられている。接続管３４は、接続箇所から下方に向かって延びるように配置されて床部Ｆを貫通しており、下端部が１階部分の天井に配設された分岐管３６に接続されている。分岐管３６は、接続管３４の下端部が２つずつ接続されており、分岐管３６の一方の端部は連結管３５に接続され、他方の端部は閉鎖されている。
【００１６】
接続管３４にはそれぞれ開閉弁３７が取り付けられており、作業者が作業を行う場合に開閉弁３７を開いて作業者の周囲の吸気口４０から吸気を行うことができるようになっている。また、この例では、吸気口４０は開口した状態のままであるが、図７に示すように、吸気口４０を閉鎖する蓋体４１を設けて作業していない範囲の吸気口４０を閉鎖して空気の流入を止めるようにしてもよい。蓋体４１は、吸気口４０の上下に配設された一対のガイドレール４２の間に摺動可能に嵌め込まれて吸気口４０を開閉可能に取り付けられる。このように、分別作業を行わない範囲では開閉弁３７を閉鎖するとともに吸気口４０を蓋体４１で閉鎖することで、作業範囲の吸気口４０からの吸引力を高めることができる。
【００１７】
連結管３５は、建屋３０の外部に設置されたブロア１００に連通しており、ブロア１００を動作させて空気を吸引することで、連結管３５、分岐管３６及び接続管３４を介して吸気ダクト３３内の空気が吸引されるようになる。そのため、吸気ダクト３３に開口した吸気口４０から搬送面３１ａの上方の空気が吸引されて排出されるようになる。
【００１８】
ベルトコンベヤ３１の両側には、接続管３４の間にシュート３８が配置されており、シュート３８は、上端が開口して下端部が床部Ｆに固定されており、床部Ｆを貫通して１階部分の廃棄物の収容場所３２に連通している。そのため、選別された廃棄物をシュート３８に投入すると、投入された廃棄物は収容場所３２に落下するようになる。吸気ダクト３３の搬送面３１ａ側の下端部には、ベルトコンベヤ３１との間の隙間を塞ぐように帯状のカバー体３９が取り付けられている。そして、ベルトコンベヤ３１の搬送ベルトは、カバー体３９と摺接しながら搬送されていくようになっており、吸気ダクト３３の吸気口４０から空気が吸引された場合でもベルトコンベヤ３１との間の隙間から空気が流入して吸気口に流れ込むことはほとんどない。
【００１９】
図８は、建屋３０内で分別作業を行う場合に関する説明図である。ベルトコンベヤ３１の搬送面３１ａに載置された廃棄物が搬送されながら作業者Ｍにより選別されてシュート３８に投入され、収容場所３２に収容されて分別されていく。作業者Ｍが廃棄物を選別する際に、廃棄物から塵や埃が舞い上がるようになるが、吸気口４０から常時搬送面３１ａの上方の空気が吸引されているため、廃棄物から分離した塵や埃は舞い上がる前に吸引されて外部に排出されるようになる。
【００２０】
吸気口４０は吸気ダクト３３の搬送面３１ａ側に開口しているため、搬送面３１ａに近接配置しており、ベルトコンベヤ３１の両側はカバー体３９で塞がれているため、搬送面３１ａの上方の空気を専ら吸引するようになり、効率よく塵や埃を吸引することができる。そして、吸気口４０は、シュート３８とは反対側の吸気ダクト３３の側面に開口し、シュート３８とは離れた位置に設定されているため、シュート３８から空気が流入することがなく、搬送面３１ａの上方の空気を吸引するようになっている。
【００２１】
また、建屋３０内には、２階部分の上部にエアコン等の空気を吹き出す給気装置５０を設置しておき、ベルトコンベヤ３１の搬送面３１ａの上方に向かって空気を吹き出すような気流を発生させることで、搬送面３１ａの上方に空気を流通させる。給気装置５０から吹き出した空気が搬送面３１ａの上方に流通して一部が下降気流となって塵や埃の舞い上がりを確実に抑止することが可能となる。そのため、作業者Ｍが塵や埃を吸い込むことがなくなり、分別処理に伴う健康被害を防止することができる。
【００２２】
また、分別作業を行っていない範囲の吸気口４０を蓋体４１で閉鎖したり、接続管３４の開閉弁３７を閉じることで、分別作業を行っている範囲の空気を吸引する能力を向上させることができ、作業形態に合わせた設定が可能となる。
【符号の説明】
【００２３】
１・・・搬送コンベヤ、２・・・粗選別機構、３・・・廃棄物分別機構、４・・・ベルトコンベヤ、５・・・磁力選別機、６・・・風力選別機構
【図１】
0005773705.tif 000002
【図２】
0005773705.tif 000003
【図３】
0005773705.tif 000004
【図４】
0005773705.tif 000005
【図５】
0005773705.tif 000006
【図６】
0005773705.tif 000007
【図７】
0005773705.tif 000008
【図８】
0005773705.tif 000009